(57)【要約】【課題】未開封時に容器に密着して外しにくいオーバーキャップを提供する。【解決手段】側部４上端に突部５を有する粉ミルク缶（容器）２の天面３を覆うように取り付けるオーバーキャップ１であって、天面３と略同一形状の蓋本体６と、その蓋本体６の縁部の全周にわたって下方に延出し、突部５に掛け止める掛止部８を内側に有する第１スカート部７とを備えるオーバーキャップ１において、第１スカート部７に連続して下方に延設されるとともに、粉ミルク缶２の側部４に向かって内傾して設けられるピルファーバンド（連結部）９と、そのピルファーバンド９に連続して下方に延設されるとともに、粉ミルク缶２の側部４に沿って設けられる第２スカート部１０とを備える。【選択図】図１
2006282199.tif 000002
【特許請求の範囲】
【請求項１】
側部上端に突部を有する容器の天面を覆うように取り付けるオーバーキャップであって、前記天面と略同一形状の蓋本体と、
該蓋本体の縁部の全周にわたって下方に延出し、前記突部に掛け止める掛止部を内側に有する第１スカート部とを備えるオーバーキャップにおいて、
前記第１スカート部に連続して下方に延設されるとともに、前記容器の側部に向かって内傾して設けられる連結部と、
該連結部に連続して下方に延設されるとともに、前記容器の側部に沿って設けられる第２スカート部とを備えることを特徴とする、オーバーキャップ。
【請求項２】
前記連結部に破断を容易にする引き剥がし開始部を設けるとともに、該引き剥がし開始部に延設してツマミを設けることを特徴とする、請求項１に記載のオーバーキャップ。
【請求項３】
前記第２スカート部の内面に前記容器の側部に当接する突起を設けることを特徴とする、請求項１に記載のオーバーキャップ。
【請求項４】
前記連結部を破断するに伴って前記第２スカート部を破断させるべく破断促進部を前記第２スカート部に備えることを特徴とする、請求項２に記載のオーバーキャップ。
【請求項５】
前記破断促進部が前記引き剥がし開始部と連続して設けられていることを特徴とする、請求項４に記載のオーバーキャップ。
【請求項６】
前記破断促進部が切断部と非切断部とを交互に連ねて構成されることを特徴とする、請求項４に記載のオーバーキャップ。
【請求項７】
前記破断促進部が肉薄に構成されることを特徴とする、請求項４に記載のオーバーキャップ。
【請求項８】
前記第２スカート部の先端の厚みが内側に向かって漸減することを特徴とする、請求項１に記載のオーバーキャップ。
【発明の詳細な説明】
【技術分野】
【０００１】
本発明は、側部上端に突部を有する容器の天面を覆うように取り付けるオーバーキャップであって、天面と略同一形状の蓋本体と、蓋本体の縁部の全周にわたって下方に延出し、突部に掛け止める掛止部を内側に有する第１スカート部とを備えるオーバーキャップに関する。
【背景技術】
【０００２】
従来、ドライミルク、粉末コーヒー、お茶、海苔、ふりかけ等の食品の収容に使用される比較的口径の大きい缶（容器）の天面には、これを覆うように嵌合蓋、（オーバーキャップ）が取り付けられており、開缶後の食品への湿気・臭い・異物等の侵入、付着等を防止するために用いられている。
【０００３】
図９に、従来のオーバーキャップ１の一例を示す。このオーバーキャップ（４１）は、側部（４０Ａ）上端に突部（４０Ｂ）を有する従来の粉ミルク缶（容器）（４０）の天面（４０Ｃ）を覆うように取り付けられている。このオーバーキャップ（４１）は、粉ミルク缶（４０）の天面（４０Ｃ）と略同一形状の蓋本体（４１Ａ）と、その蓋本体（４１Ａ）の縁部（４１Ｅ）の全周にわたって下方に延出し、突部（４０Ｂ）に掛け止める掛止部（４１Ｂ）を内側に有する第１スカート部（４１Ｃ）と、その第１スカート部（４１Ｃ）に連続して下方に延設されるとともに、粉ミルク缶（４０）の側部（４０Ａ）に向かって内傾して設けられる第２スカート部（４１Ｄ）とを備える（例えば特許文献１）。
開封時には、第２スカート部（４１Ｄ）に設けられた不図示のツマミを引っ張って、第２スカート部（４１Ｄ）を全周にわたって分離することによって、オーバーキャップ（４１）を粉ミルク缶（４０）から外すようになっている。
【０００４】
【特許文献１】特開２００４−１９６３３８号公報
【発明の開示】
【発明が解決しようとする課題】
【０００５】
しかし、このような従来の粉ミルク缶（４０）の天面（４０Ｃ）に取り付けるオーバーキャップ（４１）は、第２スカート部（４１Ｄ）の下端（４１Ｆ）のみがミルク缶（４０）の側部（４０Ａ）に近接しているため、オーバーキャップ（４１）と粉ミルク缶（４０）との密着性が十分でなく、未開封時にオーバーキャップ（４１）を粉ミルク缶（４０）から容易に外すことができ、商品として陳列している粉ミルク缶（４０）が不衛生な状態となるばかりでなく、異物を混入する等の悪戯をされる恐れがあるという問題があった。
そこでこの発明は、未開封時に容器に密着して外しにくいオーバーキャップを提供することにある。
【課題を解決するための手段】
【０００６】
上記の課題を解決するために、請求項１記載の発明は、側部上端に突部を有する容器の天面を覆うように取り付けるオーバーキャップであって、前記天面と略同一形状の蓋本体と、該蓋本体の縁部の全周にわたって下方に延出し、前記突部に掛け止める掛止部を内側に有する第１スカート部とを備えるオーバーキャップにおいて、前記第１スカート部に連続して下方に延設されるとともに、前記容器の側部に向かって内傾して設けられる連結部と、該連結部に連続して下方に延設されるとともに、前記容器の側部に沿って設けられる第２スカート部とを備えることを特徴とする。
【０００７】
請求項２に記載の発明は、請求項１に記載のオーバーキャップにおいて、前記連結部に破断を容易にする引き剥がし開始部を設けるとともに、該引き剥がし開始部に延設してツマミを設けることを特徴とする。
【０００８】
請求項３に記載の発明は、請求項１に記載のオーバーキャップにおいて、前記第２スカート部の内面に前記容器の側部に当接する突起を設けることを特徴とする。
【０００９】
請求項４に記載の発明は、請求項２に記載のオーバーキャップにおいて、前記連結部を破断するに伴って前記第２スカート部を破断させるべく破断促進部を前記第２スカート部に備えることを特徴とする。
【００１０】
請求項５に記載の発明は、請求項４に記載のオーバーキャップにおいて、前記破断促進部が前記引き剥がし開始部と連続して設けられていることを特徴とする。
【００１１】
請求項６に記載の発明は、請求項４に記載のオーバーキャップにおいて、前記破断促進部が切断部と非切断部とを交互に連ねて構成されることを特徴とする。
【００１２】
請求項７に記載の発明は、請求項４に記載のオーバーキャップにおいて、前記破断促進部が肉薄に構成されることを特徴とする。
【００１３】
請求項８に記載の発明は、請求項１に記載のオーバーキャップにおいて、前記第２スカート部の先端の厚みが内側に向かって漸減することを特徴とする。
【発明の効果】
【００１４】
請求項１に記載の発明によれば、側部上端に突部を有する容器の天面を覆うように取り付けるオーバーキャップであって、天面と略同一形状の蓋本体と、その蓋本体の縁部の全周にわたって下方に延出し、突部に掛け止める掛止部を内側に有する第１スカート部とを備えるオーバーキャップにおいて、第１スカート部に連続して下方に延設されるとともに、容器の側部に向かって内傾して設けられる連結部と、その連結部に連続して下方に延設されるとともに、容器の側部に沿って設けられる第２スカート部とを備えるので、連結部で容器の側部に近接し、それに連続した第２スカート部が容器の側部に沿って配設されることにより、未開封時に容器に密着して外しにくいオーバーキャップを提供することができる。
【００１５】
請求項２に記載の発明によれば、連結部に破断を容易にする引き剥がし開始部を設けるとともに、その引き剥がし開始部に延設してツマミを設けるので、ツマミを引っ張ることにより、引き剥がし開始部が破断して、剥離が開始され、オーバーキャップの全周にわたって連続してスムーズな引き剥がしが可能となり、オーバーキャップから第２スカート部を容易に分離することができる。これにより、容器から簡単にオーバーキャップを取り外すことができる。
【００１６】
請求項３に記載の発明によれば、第２スカート部の内面に容器の側部に当接する突起を設けるので、未開封時に容易に密着してより外しにくいオーバーキャップを提供することができる。
【００１７】
請求項４に記載の発明によれば、連結部を破断するに伴って第２スカート部を破断させるべく破断促進部を第２スカート部に備えるので、オーバーキャップから第２スカート部を容易に分離することができる。
【００１８】
請求項５に記載の発明によれば、破断促進部が引き剥がし開始部と連続して設けられているので、ツマミを引っ張ることにより、引き剥がし開始部が破断するとともに、第２スカート部も同時に剥離が開始され、オーバーキャップから第２スカート部を容易に分離することができる。
【００１９】
請求項６に記載の発明によれば、破断促進部が切断部と非切断部とを交互に連ねて構成されるので、オーバーキャップから第２スカート部を容易に分離することができる。
【００２０】
請求項７に記載の発明によれば、前記破断促進部が肉薄に構成されるので、オーバーキャップから第２スカート部を容易に分離することができる。
【００２１】
請求項８に記載の発明によれば、前記第２スカート部の先端の厚みが内側に向かって漸減するので、未開封時により外しにくいオーバーキャップを提供することができる。
【発明を実施するための最良の形態】
【００２２】
本発明のオーバーキャップの一例を図１に示す。蓋本体（６）と、蓋本体（６）の縁部から下方に連続して形成され掛止部（８）を内側に有する第１スカート部（７）と、第１スカート部（７）の下端から連続して下方に形成された連結部（ピルファープルーフバンド）（９）、ピルファープルーフバンド（９）の下端から連続して粉ミルク缶（容器）（２）の側部（４）に沿って下方に形成された第２スカート部（１０）などを備える。
なお、蓋本体（６）、第１スカート部（７）、掛止部（８）、ピルファープルーフバンド（９）、第２スカート部（１０）は樹脂で一体に成形される。
【００２３】
前記オーバーキャップ（１）を取り付ける容器（２）は、正円の天面（３）を有するいわゆる３ピース缶の円筒状容器である。容器（２）の側部（４）上端は天面（３）を側部（４）に取り付けるために天面（３）の周縁部を巻き返して形成された突部（５）が側部（４）の周方向に連続して形成されている。この突部（５）に、第１スカート部（７）の内側に形成された掛止部（８）を掛止するように構成されている。容器（２）の天面（３）には、通常、被覆紙で覆われた開口が形成されており、粉ミルクを取り出すには被覆紙を剥がして、開口よりスプーンなどで取り出す。その後、オーバーキャップ（１）を容器（２）に被せる。すると、掛止部（８）が突部（５）を乗り越えて下方に達した位置で、オーバーキャップ（１）を容器（２）に被せた状態となる。
【００２４】
本発明のオーバーキャップ（１）は、ピルファープルーフバンド（９）の剥離時、オーバーキャップ（１）の第２スカート部（１０）が容器（２）の側部（４）に沿って接しており、容器（２）の側部（４）と第２スカート部（１０）との間に隙間が形成されないよう構成されている。
詳しくは、図２に示すように、ピルファープルーフバンド（９）の剥離前は、容器（２）の天面（３）を覆うようにオーバーキャップ（１）が取り付けられ、オーバーキャップ（１）の第１スカート部（７）の下端から薄肉部（１３Ａ）を介してピルファープルーフバンド（９）が連続して形成されている。ピルファープルーフバンド（９）は第１スカート部（７）の外側面（７Ｓ）に対して角度θで内傾している。ピルファープルーフバンド（９）の下端は、薄肉部（１３Ｂ）を介して第２スカート部（１０）が連続して形成されている。第２スカート部（１０）は容器（２）の側部（４）に沿って近接するように設けられている。よって、ピルファープルーフバンド（９）を剥離せずにオーバーキャップ（１）を容器（２）から取り外すことが困難であり、オーバーキャップ（１）を開封して悪戯をすることを防止できる。
【００２５】
さらには、図３に示すように、第２スカート部（１０）の先端（１０Ｃ）の厚みが内側に向かって漸減するので、未開封時に、第２スカート部の先端（１０Ｃ）を指先等で持ち上げることができず、より外しにくいオーバーキャップ（１）を提供することができる。なお、第２スカート部（１０）は、適宜の長さとなるように形成される。
【００２６】
図４に示すように、ピルファープルーフバンド（９）の引き剥がし開始部（１２）は薄肉部となっており、引き剥がし開始部（１２）に隣接してツマミ（１１）がピルファープルーフバンド（９）と一体に設けられている。なお、ツマミ（１１）は、ピルファープルーフバンド（９）と接続部（１１Ａ）を介して分離自在に設けられている。
【００２７】
このように構成されたピルファープルーフバンド（９）を開封する方法について図５を用いて説明する。
まず、ツマミ１１の先端（１１Ｃ）をめくるようにしてピルファープルーフバンド（９）から引き離す。すると接続部（１１Ａ）が破断するとともに引き剥がし開始部（１２）が破断する。そして、反時計回りにツマミ（１１）を引っ張りながら、全周にわたってピルファープルーフバンド（９）を剥がすと薄肉部（１３Ａ）（１３Ｂ）に沿って破断が進行し、第１スカート部（７）と第２スカート部（１０）とが分離される。
なお、第２スカート部（１０）の引き剥がし開始部（１２）近傍には第２スカート部（１０）を縦方向に破断させやすくする破断促進部（１０Ａ）が形成されているので薄肉部（１３Ａ）（１３Ｂ）に沿って破断が一周して破断促進部（１０Ａ）に達したとき、第２スカート部（１０）の破断促進部（１０Ａ）に破断が及び、容器（２）の側部（４）に円環状に残存する第２スカート部（１０）を切り離す。そして、第１スカート部（７）の下端に指をかけて上方に持ち上げることによりオーバーキャップを容器（２）から外す。
【００２８】
なお、図６に示すように、破断促進部（１０Ｂ）を肉薄に構成してもよい。
また、図７に示すように、破断促進部（１２Ｂ）が引き剥がし開始部（１２）と連続して設けることにより、ピルファープルーフバンド（１）の剥離時に引き剥がし開始部（１２）と第２スカート部（１０）とが同時に破断を開始するように構成してもよい。この場合、ピルファープルーフバンドと第２スカート部とを連結する薄肉部（１３Ｂ）を、通常の厚さにすることにより、ピルファープルーフバンド（１）と第２スカート部（１０）とが連結したままで剥離が可能となる。
また、第２スカート部（１０）に破談促進部（１０Ａ）（１０Ｂ）（１２Ｂ）を設けずに、ピルファープルーフバンド（１）の開封後、第２スカート部（１０）が容器（２）に密着して残るようにしてもよい。
【００２９】
次に、図８は本発明の別の例を示すオーバーキャップ（２１）の一部断面図である。このオーバーキャップ（２１）は、図１に示すオーバーキャップ（１）において、第２スカート部（２２）の内面に、周方向にわたって突起（１４）を設けたものである。その他の構成は図１に示すオーバーキャップ（１）と同様であるので説明を省略する。
【００３０】
このように構成すると、突起（１４）が容器（２）の側部（４）に確実に当接するとともに、第２スカート部（２２）の上端も同様に容器（２）の側部（４）に接している。
【００３１】
これにより、温度によって剛性が大きく変化するポリエチレン等からなるオーバーキャップ（２１）において、夏期にはオーバーキャップ（２１）が熱膨張し、あるいは冬期にはオーバーキャップ（２１）が熱収縮して、たとえ第２スカート部（２２）の上端が容器（２）の側部（４）から離れても、第２スカート部（２２）の内面に形成された突起（１４）が容器（２）の側部（４）に常に接しているため、第２スカート部（２２）の全体が容器（２）の側部（４）から離れることはない。
【００３２】
本発明のオーバーキャップ（２１）の第２スカート部（２２）の内面に形成される突起（１４）は、第２スカート部（２２）の下端に形成されることに限らず、第２スカート部（２２）の内面全体にわたって複数列設けてもよい。
【００３３】
本発明に係るオーバーキャップ（１）（２１）としては、低密度ポリエチレン、線状低密度ポリエチレン、中密度ポリエチレン、高密度ポリエチレン、ポリプロピレン等のオレフィン樹脂を射出成形してなる。また、容器（２）は、容器（２）の側部（４）上端にフランジ部として突部（５）を有する３ピース金属缶以外に、フランジ部として丸形環状縁部を有する紙またはプラスチックと金属箔、金属または金属酸化物の蒸着膜、ポリ塩化ビニリデンフィルム、ポリアクリロニトリル樹脂、エチレン−酸化ビニル共重合体鹸化物等のガスバリア材料の複合材料とからなる缶等を適用することができる。また容器（２）の形状は円筒形に限られることなく例えば角筒形であってもよいし、天板よりも底板の面積の大きい容器であってもよい。
【００３４】
本発明に係るオーバーキャップ（１）（２１）を備えた容器（２）に収容する内容物としては粉ミルク、粉末コーヒー、お茶、海苔、ふりかけ等の食品に限らず、取り扱いに注意を要する医薬品、オイル、液体塗料、接着剤等が挙げられる。
【図面の簡単な説明】
【００３５】
【図１】この発明のオーバーキャップを備えた容器の断面斜視図である。
【図２】図１のオーバーキャップの一部拡大断面図である。
【図３】図１のオーバーキャップの別の例を示す。一部拡大断面図である。
【図４】図２のＡ矢視断面図である。
【図５】オーバーキャップの一部斜視図である。
【図６】別の例を示すオーバーキャップの一部斜視図である。
【図７】別の例を示すオーバーキャップの一部斜視図である。
【図８】オーバーキャップの別の例を示す一部拡大断面図である。
【図９】従来のオーバーキャップの一部拡大断面図である。
【符号の説明】
【００３６】
１，２１  オーバーキャップ
２  粉ミルク缶（容器）
３  天面
４  側部
５  突部
６  蓋本体
７  第１スカート部
７Ｓ  第１スカート部の外側面
８  掛止部
９  ピルファープルーフバンド（連結部）
１０，２２  第２スカート部
１０Ａ，１０Ｂ  破断促進部
１０Ｃ  先端
１１  ツマミ
１１Ａ  接続部
１１Ｃ  先端
１２  引き剥がし開始部
１２Ｂ  破断促進部
１３Ａ，１３Ｂ  薄肉部
１４  突起
【図１】
2006282199.tif 000003
【図２】
2006282199.tif 000004
【図３】
2006282199.tif 000005
【図４】
2006282199.tif 000006
【図５】
2006282199.tif 000007
【図６】
2006282199.tif 000008
【図７】
2006282199.tif 000009
【図８】
2006282199.tif 000010
【図９】
2006282199.tif 000011